(57)【要約】      （修正有）【課題】優れた滑り止め機能を有すると共に、操作性や通気性にも優れた手袋を提供する。【解決手段】本手袋は、滑り止め機能を有する滑り止め編地１を一部に含む繊維製の手袋であって、滑り止め編地１は、平編みされた基部２と、該基部２の外側の面において１〜３コース間かつ１〜５ウェール間に跨って弾性糸が突き出る滑り止め部３とを備えている。【選択図】図２
0003173272.tif 000002
【実用新案登録請求の範囲】
【請求項１】
滑り止め機能を有する滑り止め編地を一部に含む繊維製の手袋であって、
滑り止め編地は、平編みされた基部と、前記基部の外側の面において１〜３コース間かつ１〜５ウェール間に跨って弾性糸が突き出る滑り止め部と、を備えることを特徴とする手袋。
【請求項２】
前記弾性糸は、伸長しない状態で、前記基部の編目に編込まれていることを特徴とする請求項１記載の手袋。
【考案の詳細な説明】
【技術分野】
【０００１】
本考案は、滑り止め機能を有する手袋に関する。
【背景技術】
【０００２】
滑り止め機能を有する手袋としては、繊維製の手袋本体の外面に、複数の樹脂製の突部を設けたものや（例えば、特許文献１）、樹脂製の層を設けた手袋がある（例えば、特許文献２）。
【０００３】
しかしながら、これらの手袋は、樹脂製の突部または層により、手袋の厚さが厚くなったり、柔軟性が失われたりして、操作性に欠けるという問題があった。また、通気性にも難があるという問題もあった。
【先行技術文献】
【特許文献】
【０００４】
【特許文献１】特開平７−３１０２１０号
【特許文献２】特開平２００７−２０４９０４号
【考案の概要】
【考案が解決しようとする課題】
【０００５】
そこで本考案は、優れた滑り止め機能を有し、操作性や通気性にも優れた手袋を提供することを目的とする。
【課題を解決するための手段】
【０００６】
本考案の手袋は、滑り止め機能を有する滑り止め編地を一部に含む繊維製の手袋であって、滑り止め編地は、平編みされた基部と、基部の外側の面において１〜３コース間かつ１〜５ウェール間に跨って弾性糸が突き出る滑り止め部と、を備えることを特徴とする。
【０００７】
また、本考案の手袋は、弾性糸が、伸長しない状態で、基部の編目に編込まれていることが好ましい。
【考案の効果】
【０００８】
本考案の手袋は、滑り止め編地が、平編製の基部と、基部の外側の面において、コース間およびウェール間に跨って弾性糸が突き出る滑り止め部と、を備えているので、非常に優れた滑り止め機能と耐久性を有している。
さらに、本考案の手袋は、従来の滑り止め手袋のように樹脂製の突部や層を設ける必要がない。そのため、手袋が厚くなったり、柔軟性が損なわれたりしないので、操作性にも優れている。また、通気性も良好である。
【０００９】
また、弾性糸を伸長しない状態で、基部の編目に編込むと、弾性糸が収縮することなく基部の外面に突き出すので、滑り止め編地が確実に滑りを抑える。
【図面の簡単な説明】
【００１０】
【図１】本考案の手袋の実施形態を示す図であり、（ａ）は正面図であり、（ｂ）は背面図である。
【図２】滑り止め編地を示す平面図であり、（ａ）は編地を内側から見た図であり、（ｂ）は編地を外側から見た図である。
【考案を実施するための形態】
【００１１】
以下、本考案の手袋の実施形態について図面を参照しながら説明する。
本考案の手袋は、図１に示すように、掌側が滑り止め機能を有する滑り止め編地１により構成され、甲側が通常手袋に用いられる編地である通常編地６により構成されている。
【００１２】
滑り止め編地１は、図２に示すように、平編製の基部２と、基部２の外側の面において、コース間およびウェール間に跨って弾性糸が突き出る滑り止め部３と、により構成される。
【００１３】
基部２は、綿、ナイロンまたはポリエステルなどの繊維を平編みすることにより形成されている。
【００１４】
滑り止め部３は、ゴムやポリウレタン等の弾性を有する弾性糸で構成され、基部２の編目４に弾性糸を編込むことにより形成される。なお、弾性糸は、好ましくは耐久性に優れているポリウレタンを用いることが望ましい。
【００１５】
弾性糸が編込まれる編目４のうち、編目４ａ，４ｂ，４ｃ，４ｄは、それぞれ１ウェール間隔をあけたウェールにあり、また隣接する編目（例えば４ａ，４ｂ）はコースが上下にずれている。
そして、編目４ａ，４ｂ，４ｃ，４ｄに編込まれた弾性糸は、編目４ａ，４ｂ，４ｃ，４ｄの各ウェール間および各コース間において、平面的に見て直線的に基部２の外側の面から突き出る。以下、滑り止め部３のうち、弾性糸が基部２の外側の面において平面的に見て直線的に基部２の表面から突き出る部分を直線部５とする。
【００１６】
また、滑り止め部３は、上記の基部２の編目４ａ，４ｂ，４ｃ，４ｄに弾性糸が編込まれて形成されるものと、基部２の編目４ｅ，４ｆ，４ｇ，４ｈに弾性糸が編込まれて形成されるものとが、上下方向に交互に複数設けられている。このうち、基部２の編目４ｅ，４ｆ，４ｇ，４ｈに弾性糸が編込まれて形成された滑り止め部３は、その直線部５が、基部２の編目４ａ，４ｂ，４ｃ，４ｄに弾性糸が編込まれて形成された滑り止め部３の直線部５と、左右方向軸に対して略線対称となるように形成してある。
なお、滑り止め部３は、同一パターンのものを編目４の上下方向に複数設けるものであってもよい。
【００１７】
これによると、弾性糸で構成される直線部５が、平面的に見て直線的に基部２の外側の面から突き出ているので、滑り止め編地１と、滑り止め編地１の外側の面に接触する接触物（以下、接触物とする。）とが、その面上において相対的に上下方向（編目方向）または左右方向のいずれの方向に移動しても摩擦力が有効に働き、滑り止め編地１と接触物との滑りが確実に抑えられる。
【００１８】
また、滑り止め部３において左右方向において隣り合う直線部５，５は、平面的に見てハの字状または逆ハの字状に配されている。これにより、滑り止め編地１と、接触物とが、その面上において相対的に編目方向に対して斜めに移動しても、摩擦力が有効に働く。すなわち、滑り止め編地１と、接触物とが、滑り止め編地１の外側の面上において、相対的にいずれの方向に移動しても、滑り止め編地１と接触物との滑りが確実に抑えられる。
【００１９】
さらに、滑り止め編地１の上下方向において隣り合う滑り止め部３，３は、その直線部５，５が左右方向軸に対して略線対称となるように基部２の編目４に弾性糸が編込まれて形成されているため、滑り止め編地１と、接触物とが、滑り止め編地１の外側の面上において、相対的にいずれの方向に移動しても、滑り止め編地１と接触物との滑りがより確実に抑えられる。
【００２０】
また、滑り止め部３は、基部２の編目に編込まれているため、滑り止め部３に外力が作用しても、基部２から外れ難くなっている。そのため滑り止め編地１は、非常に丈夫であり、長期にわたって滑り止め機能が維持される。
【００２１】
なお、弾性糸は、伸長しない状態で基部２に編込むことが望ましい。その理由としては、弾性糸を伸長した状態で基部２に編込み、その後に弾性糸の伸長を解除すると、弾性糸が収縮して基部２の編目４に埋没し、基部２の外側の面上における弾性糸の突き出しが不十分となり、滑り止め編地１の滑り止め機能が低下することとなるが、弾性糸を伸長していない状態で基部２に編込むと、弾性糸が収縮することなく十分に基部２の外面から突き出るので、滑り止め編地１が滑り止め機能を有効に発揮するからである。
【００２２】
通常編地６は、通常の手袋に用いられる編地であり、綿等の天然繊維や、ナイロンもしくはポリ塩化ビニル等の合成繊維を平編等することにより形成されている。
【００２３】
手袋は、上記のように掌側を滑り止め編地１により構成し、甲側を通常編地６により構成する。
例えば、滑り止め編地１および通常編地６を、それぞれ親指部分を除いた手の形状および親指部分の形状に裁断する。そして、裁断したそれぞれの編地１，６を内面が対向するように重ね合わせ、これらの編地１，６の周縁を縫合することにより袋状の手袋本体部７と親指部８を形成する。最後に、親指部８を手袋本体部７に縫合すると手袋が完成する。
なお、手袋は、手袋本体部７と親指部８とに分けず、滑り止め編地１および通常編地６を、それぞれ親指部分を含めた手の形状に裁断し、裁断した各編地１，６をその内面が対向するように重ね合わせて、両編地１，６の周縁を縫合することにより形成してもよい。
【００２４】
本考案の手袋は、滑り止め編地１が、平編製の基部２と、基部２の外側の面においてコース間およびウェール間に跨って弾性糸が突き出る滑り止め部３と、を備えているので、非常に優れた滑り止め機能および耐久性を有している。
さらに、本考案の手袋は、従来の滑り止め手袋のように、樹脂製の突部や層を設ける必要がない。そのため、手袋が厚くなったり、柔軟性が損なわれたりしないので、操作性にも優れている。また、通気性も良好である。しかも、編成された手袋であるため、伸縮性が良く、密着性にも優れている。加えて、樹脂製の突部や層を設ける工程や設備も必要ないので、滑り止め手袋の生産効率が向上し、そのコストが低減される。
【符号の説明】
【００２５】
１    滑り止め編地
２    基部
３    滑り止め部
４    編目
５    直線部
６    通常編地
７    手袋本体部
８    親指部  
【図１】
0003173272.tif 000003
【図２】
0003173272.tif 000004